(57)【要約】【課題】打込み位置が変位せず、予め設定及び決定された針打込み部に対して正確且つ確実に打込むことができる固定針打込み装置を提供する。【解決手段】固定針打込み装置１を構成する装置本体２の打込み口７に突設した位置決め突起１９を畳Ｂの縁部Ｂａに突き刺して位置規制し、打込み口７を畳Ｂの縁部Ｂａに押し当てて、安全弁１５を打込み口７に没入させ、誤作動防止機構２９によるスイッチレバー１０の固定を解除した後、スイッチレバー１０をＯＮ操作し、打込み口７から打出される固定針Ａ…を、縁布Ｂｂが被覆された畳Ｂの縁部Ｂａに打込み固定する。且つ、打込み口７を畳Ｂの縁部Ｂａから離して、安全弁１５を打込み口７に突出し、スイッチレバー１０を誤作動防止機構２９により操作不可に固定する。【選択図】  図６
2004358563.tif 000002
【特許請求の範囲】
【請求項１】
装置本体に内蔵された打出し手段を駆動して、該装置本体に設けた打込み口から打出される固定針を、該打込み口が押し当てられた針打込み部に打込み固定する固定針打込み装置であって、
上記打込み口が押し当てられる針打込み部に突き刺し可能で、該打込み口を針打込み部と対向する位置に規制する位置決め突起を、上記打込み口近傍に設けた
固定針打込み装置。
【請求項２】
上記位置決め突起を、上記針打込み部に突き刺し可能な先端尖鋭形状に形成した請求項１記載の固定針打込み装置。
【請求項３】
上記位置決め突起を、上記打込み口の略中心部と対応する位置に設けた
請求項１又は２記載の固定針打込み装置。
【請求項４】
上記打出し口よりも先行して上記針打込み部に押し当てられる安全弁を、上記打出し口近傍に出没動作可能に設け、
上記安全弁を、上記打出し口側に突出される方向に常時付勢すると共に、
上記打込み口が針打込み部に押し当てられ、上記安全弁が打込み口に没入すると上記打出し手段を駆動するスイッチ部を操作不可に固定し、
上記打込み口が針打込み部から離され、上記安全弁が打込み口に突出すると上記スイッチ部を操作可能に固定解除する誤作動防止手段を設けた
請求項１記載の固定針打込み装置。
【請求項５】
上記打込み口が針打込み部に押し当てられたとき該針打込み部に係止される係止突起を、上記打込み口近傍に複数設けた
請求項１記載の固定針打込み装置。
【発明の詳細な説明】
【０００１】
【発明の属する技術分野】
この発明は、例えば畳表及び縁布の固定（隅止めを含む）、畳の補修や縁止め、框止め等の作業に用いられる固定針打込み装置に関する。
【０００２】
【従来の技術】
従来、上述例の畳縁を固定する装置としては、例えば側面タッカの回動針を、引張り爪により緊張された縁布に上方から突き刺して、側面タッカ及び回動針を降下させながら、回動針が突き刺された縁布を下向に折り曲げて、畳縁が覆われる状態に被覆した後、畳縁に被覆された縁布を、側面タッカから打出されるステープルで畳縁の側面に対して固定する特許文献１の畳縁隅止め装置がある。
【０００３】
【特許文献１】
特開平８−２８０９５８号公報。
【０００４】
【発明が解決しようとする課題】
しかし、上述の畳縁隅止め装置は、ステープルを打込むとき、側面タッカを畳縁の側面（框部）と対向する位置に降下移動して、畳縁の側面に対して押し付けた状態で打込むため、ステープルの打込み位置が定まりにくく、打出し時に付与される衝撃により、ステープルの打込み位置が変位しやすいため、予め設定及び決定された畳縁に対して正確に打込むことが難しい。
【０００５】
且つ、ステープルを打出すための打出しユニットが装置本体に内蔵されている場合、装置全体の重量が重くなるので、例えば女性や老人等のように作業者の腕力が弱いと、畳縁隅止め装置を、畳縁の針打込み部に対して押し当てた状態に保持することが難しく、打込む瞬間に、ステープルの打込み位置が変位しやすいため、ステープルを、畳縁の針打込み部に対して正確に打込むことが困難であり、仕上り状態が悪くなるという問題点を有している。
【０００６】
この発明は上記問題に鑑み、装置本体の打込み口に突設した位置決め突起を、該打込み口が押し当てられる針打込み部に突き刺して位置規制することにより、打込み位置が変位せず、予め設定及び決定された針打込み部に対して正確且つ確実に打込むことができる固定針打込み装置の提供を目的とする。
【０００７】
【課題を解決するための手段】
この発明は、装置本体に内蔵された打出し手段を駆動して、該装置本体に設けた打込み口から打出される固定針を、該打込み口が押し当てられた針打込み部に打込み固定する固定針打込み装置であって、上記打込み口が押し当てられる針打込み部に突き刺し可能で、該打込み口を針打込み部と対向する位置に規制する位置決め突起を、上記打込み口近傍に設けた固定針打込み装置であることを特徴とする。
【０００８】
上述の固定針は、例えば正面から見て略門字状のステープルやその他の先端尖鋭形状の針部材、多数の固定針が略棒状に連ねられた針群等で構成することができる。また、打出し手段は、例えば昇圧器で昇圧された電力で打出しするソレノイド、圧搾エアーで打出しするエアー打出し器等で構成することができる。また、位置決め突起は、例えば畳の縁部及び縁布が被覆された縁部に突き刺し可能な先端尖鋭形状の針部材等で構成することができる。
【０００９】
つまり、固定針打込み装置を構成する装置本体の打込み口近傍（例えば前部及び側部、後部等）に突設した位置決め突起を、打込み口が押し当てられる針打込み部（例えば畳の縁部及び隅部、縁布が被覆された畳の縁部及び隅部等）に突き刺して、打込み口を、針打込み部と略対向する位置に規制して打込み作業を行う。
【００１０】
実施の形態として、上記位置決め突起を、上記針打込み部に突き刺し可能な先端尖鋭形状に形成することができ、針打込み部（例えば畳の縁部及び隅部、縁布が被覆された畳の縁部及び隅部等）に対する突き刺し作業を容易にする。また、上記位置決め突起を、上記打込み口の略中心部と対応する位置に設けることができ、固定針の打込み位置及び位置決め突起の突き刺し位置を一致させる。
【００１１】
また、上記打出し口よりも先行して上記針打込み部に押し当てられる安全弁を、上記打出し口近傍に出没動作可能に設け、上記安全弁を、上記打出し口側に突出される方向に常時付勢すると共に、上記打込み口が針打込み部に押し当てられ、上記安全弁が打込み口に没入すると上記打出し手段を駆動するスイッチ部を操作不可に固定し、上記打込み口が針打込み部から離され、上記安全弁が打込み口に突出すると上記スイッチ部を操作可能に固定解除する誤作動防止手段を設けることができる。
【００１２】
且つ、スイッチ部は、例えばスイッチレバーやトリガスイッチ、押ボタンスイッチ、ダイヤルスイッチ等で構成することができる。また、誤作動防止手段は、例えば誤作動防止機構及びロック部材、コイルバネ、安全弁、可動板、コイルバネ、或いは、ピン、軸部材等を組み合わせた機構で構成するか、カム機構やオルタネイト機構、その他の機構等で構成することができる。
【００１３】
つまり、固定針を打込むとき、打込み口を針打込み部に押し当てて、安全弁を打込み口に没入させ、誤作動防止手段によるスイッチ部（例えばスイッチレバー）の固定を解除した後、スイッチ部をＯＮ操作して、固定針を打出し手段により打出し、予め設定及び決定された針打込み部に打込む。且つ、打込み口を針打込み部から離して、安全弁を打込み口に突出し、スイッチ部を誤作動防止機構により操作不可に固定する。
【００１４】
また、上記打込み口が針打込み部に押し当てられたとき該針打込み部に係止される係止突起を、該打込み口近傍に複数設けることができる。つまり、位置決め突起を突き刺すまえに、複数の係止突起（例えば側面から見て略三角形や三角錐等）を、打込み口が押し当てられる針打込み部（例えば畳の縁部及び隅部、縁布が被覆された畳の縁部及び隅部等）に係止して、その針打込み部の一部又は全体を緊張した後、固定針を打込んで緊張したまま固定する。
【００１５】
【作用及び効果】
この発明によれば、打込み口に突設した位置決め突起を、打込み口が押し当てられる畳の縁部（隅部を含む）に突き刺して、打込み口を、固定針が打ち込まれる針打込み部と対向する位置に規制するので、固定針の打込み位置が変位せず、例えば女性や老人等の腕力が弱い人でも、予め設定及び決定された針打込み部に対して正確且つ確実に打込むことができ、仕上り後の見栄えがよく、良好な状態に隅止め固定することができると共に、打込む作業が簡単且つ容易に行え、作業性の向上を図ることができる。
【００１６】
且つ、打込み口を針打込み部に押し当てて、安全弁を打込み口に没入させなければ、誤作動防止手段によるスイッチ部の固定が解除されず、スイッチ部が誤操作されるため、固定針が誤って打出されるのを防止することができる。
【００１７】
【実施例】
この発明の一実施例を以下図面に基づいて詳述する。
図面は、畳の縁部（隅部を含む）に被覆された縁布を固定針で固定する隅止め作業に用いられる電動式の固定針打込み装置を示し、図１及び図２に於いて、この固定針打込み装置１（或いは畳縁隅止め装置）は、片手で保持可能な側面から見て略コ字状を有する装置本体２のハウジング３に、マガジン部６に装填された固定針Ａ…を１本ずつ打出すためのハンマ４と、そのハンマ４を打ち出し方向に対して瞬間的に移動させるためのソレノイド５とを内蔵し、正面から見て略門字状を有する固定針Ａ…が多数連ねられたまま装填されるマガジン部６を、装置本体２の前部及び後部の間に設けている。
【００１８】
且つ、装置本体２のグリップ２ａを保持する片手の指で操作されるスイッチレバー１０を、グリップ２ａの前端側下面に形成したスイッチ部１１に対して操作可能に取り付け、後述するソレノイド５に供給される電力を昇圧する制御部２２をグリップ２ａに内蔵し、打込み口７を畳Ｂの縁部Ｂａに押し当てると、スイッチレバー１０を操作不可に回動固定（ロック固定）し、打込み口７を畳Ｂの縁部Ｂａから離すと、スイッチレバー１０を操作可能に固定解除（ロック解除）する誤作動防止機構２９をハウジング３に内蔵している。
【００１９】
上述のハンマ４は、略棒状（又は略軸状、略板状等）に形成した上端部を、略筒状を有するソレノイド５の中心部に対して上下動可能に挿入及び保持し、下端側を、マガジン部６前端に形成した打込み口７及び打込み口７と連通する打出し通路８に対して上下動可能に挿入すると共に、マガジン部６に装填された固定針Ａ…が１本ずつ打出される幅及び厚みに形成している。且つ、ハンマ４を、ハンマ４の上端側突出部に装着したコイルスバネ９の復元力により、打込み口７及び打出し通路８に収容される方向に常時付勢し、打出し通路８に供給される固定針Ａ…が１本ずつ打出される待機位置に復帰する。
【００２０】
前述のスイッチレバー１０は、後述する可動板１６の上下動が許容される形状に形成した前端部を、スイッチ部１１の前側左右内壁に対して上下動可能に枢着し、スイッチ部１１に装填したコイルバネ１２の復元力により、グリップ２ａ下面に突出される方向に常時付勢している。
【００２１】
且つ、スイッチ部１１に内蔵されたトリガスイッチ１２をＯＮ操作する操作突起１０ａを、スイッチレバー１０の後端側上面に設け、スイッチレバー１０を操作不可に固定する固定位置と、その回動固定が解除される解除位置とに後述する安全弁１５の出没動作により回動されるロック部材１３を、スイッチレバー１０の中央部に枢着している。なお、トリガスイッチ１２は、スイッチ自体に内蔵したバネ（図示省略）の復元力でＯＦＦ状態に復帰する。
【００２２】
前述の誤作動防止機構２９は、後述するロック部材１３と、コイルバネ１４と、安全弁１５と、可動板１６と、コイルバネ１７とで構成される。
【００２３】
上述のロック部材１３は、スイッチ部１１の中央上部内壁に形成した規制部１１ａに当接される規制片１３ａを、ロック部材１３の基端側上部に形成し、後述する可動板１６に当接される操作片１３ｂを、ロック部材１３の前端側に形成している。
【００２４】
且つ、後述する安全弁１５の突出動作により可動板１６が降下したとき、図２に示すように、ロック部材１３の基端側に巻回したコイルバネ１４の復元力により、ロック部材１３の規制片１３ａがスイッチ部１１の規制部１１ａに当接される角度及び姿勢に回動復帰し、規制片１３ａ及び規制部１１ａの当接により、スイッチレバー１０が操作不可に回動固定（ロック固定）される。
【００２５】
一方、後述する安全弁１５の没入動作により可動板１６が上昇したとき、図６に示すように、コイルバネ１４の復元力に抗して、ロック部材１３の操作片１３ｂが可動板１６により突き上げられ、ロック部材１３の規制片１３ａがスイッチ部１１の規制部１１ａに対して当接回避される角度及び姿勢に回動し、スイッチレバー１０が操作可能に固定解除（ロック解除）される。
【００２６】
前述の安全弁１５は、略棒状に形成した上端側を、ハウジング３内部に対して上下動可能に保持し、略板状に形成した下端側を、マガジン部６の前端側外面に沿う形状に折り曲げて打込み口７近傍の前面側中央部に突出すると共に、そのマガジン部６前面に取り付けた案内部材１８で出没動作可能及び上下動可能に保持している。且つ、安全弁１５の下端部を、打込み口７及び後述する係止突起２０…よりも下方に突出すると共に、打込み口７よりも先行して畳Ｂの縁部Ｂａに押し当てられる突出寸法及び突出長さに設定している。
【００２７】
且つ、ロック部材１３の操作片１３ｂに可動板１６を当接される上昇位置（ロック解除位置）と、その操作片１３ｂに対する可動板１６の当接が解除される降下位置（ロック固定位置）とに上下動可能に設けている。
【００２８】
上述の可動板１６は、ハウジング３内部に対して上下動可能に保持され、ロック部材１３の操作片１３ｂに対して当接される長さ及び形状に形成した上端部を、スイッチレバー１０の前端部に対して上下動可能に挿入し、下端部を、安全弁１５の上端部に対して係止又は連結し、安全弁１５の出没動作により一体的に上下動する。且つ、ハウジング３内部に装填するか、安全弁１５及び可動板１６に取り付けたコイルバネ１７の復元力により、安全弁１５の当接側下端部を打込み口７側に突出される方向に常時付勢している。
【００２９】
つまり、固定針Ａの打込み時において、装置本体２の打込み口７を畳Ｂの縁部Ｂａに押し当てると、図６に示すように、安全弁１５がコイルバネ１７に抗して打込み口７に押し込まれ、可動板１６が押上げられる。且つ、ロック部材１３の操作片１３ｂが可動板１６で突き上げられ、ロック部材１３の規制片１３ａ及びスイッチ部１１の規制部１１ａの当接が解除され、スイッチレバー１０の回動固定が解除（ロック解除）されるため、グリップ２ａを把持する片手の指でスイッチレバー１０を操作して、トリガスイッチ１２をＯＮ操作することができる。
【００３０】
一方、装置本体２の打込み口７が畳Ｂの縁部Ｂａから離されると、図２に示すように、コイルバネ１７の復元力により安全弁１５の当接側下端部が打込み口７側に突出され、可動板１６が下方に押下げられる。且つ、ロック部材１３の規制片１３ａ及びスイッチ部１１の規制部１１ａが当接し、スイッチレバー１０が回動不可に回動（ロック固定）されるため、トリガスイッチ１２がＯＦＦ状態にホールドされ、トリガスイッチ１２の誤操作及び固定針Ａが誤って打出されるのを防止することができる。
【００３１】
且つ、図３、図４にも示すように、打込み口７が押し当てられる畳Ｂの縁部Ｂａ及び縁布Ｂｂが被覆された縁部Ｂａに突き刺し可能な先端尖鋭形状に形成した略針状の位置決め突起１９を、打込み口７近傍（前部側）で該打込み口７の略中心部と対応する案内部材１８の前面側中央部に１本突設して、固定針Ａの打込み位置及び位置決め突起１９の突き刺し位置を一致させると共に、打込み口７を、固定針Ａが打ち込まれる針打込み部と略対向する打込み位置に規制するのに適した長さ及び形状、外径に形成して、畳Ｂの縁部Ｂａ及び縁布Ｂｂが被覆された縁部Ｂａに対する突き刺し作業を容易にしている。
【００３２】
上述の位置決め突起１９を、畳Ｂの縁部Ｂａに対して押し当てられる安全弁１５及び後述する係止突起２０…よりも下方に突出すると共に、打込み口７が押し当てられる畳Ｂの縁部Ｂａに先行して突き刺し可能な突出寸法及び突出長さに設定している。また、位置決め突起１９を、例えば打込み口７の側部や後部等に設けるか、前部及び側部、後部等の複数箇所に設けるか、その位置決め突起１９の本数を、例えば２本以上の複数本に変更する等してもよい。且つ、位置決め突起１９自体を交換するか、その取り付け位置を調節する等して、突き刺し寸法及び突出寸法、突設本数を変更することもできる。
【００３３】
且つ、畳Ｂの縁部Ｂａ及び縁部Ｂａに被覆される縁布Ｂｂに係止可能な先端尖鋭形状（例えば側面から見て略三角形や三角錐等）に形成した係止突起２０…を打込み口７近傍に設け、打込み口７の後側縁部に沿って左右方向又は幅方向に複数配列（例えば４個）すると共に、打込み口７が押し当てられる畳Ｂの縁部Ｂａに対して先に係止される突出寸法に設定している。
【００３４】
且つ、安全弁１５の突出長さを調節するための調節ネジ２１を可動板１６の略中間部に取り付け、調節ネジ２１の回動操作により、打込み口７側に突出される安全弁１５の突出寸法を、畳Ｂの隅止め作業に適した突出長さに規制及び調節する。また、その他の作業に適した突出長さに変更することもできる。
【００３５】
前述のマガジン部６は、多数の固定針Ａ…が連ねられた針群を装填するマガジン本体６ａを、装置本体２の前部及び後部の間に架設し、マガジン本体６ａの前端側に形成した打出し通路８に向けて固定針Ａ…が供給される方向に付勢する付勢機能を備えたマガジンベース６ｂを、マガジン本体６ａに対して前後方向に出し入れ可能に設け、マガジン本体６ａの針装填部が覆われる大きさに形成したマガジンカバー６ｃを、マガジンベース６ｂに対して一体的に設けている。且つ、マガジン本体６ａに収容されたマガジンベース６ｂを抜け止め固定するストップレバー６ｄを、マガジンベース６ｂの後端側に取り付けている。
【００３６】
つまり、多数の固定針Ａ…が連ねられた針群を装填する場合、ストップレバー６ｄによる固定を解除して、マガジン本体６ａが上向きとなるようにマガジンベース６ｂを引き出した後、多数の固定針Ａ…が連ねられた針群をマガジン本体６ａの針装填部に装填し、マガジンベース６ｂを元の位置に押し戻して、ストップレバー６ｄで引き抜き不可に固定する。
【００３７】
上述のマガジン部６に装填される固定針Ａは、例えば肩幅＝略７ｍｍ、足長＝略１６ｍｍ〜略２５ｍｍのステープルで構成されるが、例えば略７ｍｍ以上及び以下の肩幅、略１６ｍｍ以下及び略２５ｍｍ以上の足長を有するステープルを装填可能及び打込み可能に設けてもよい。
【００３８】
前述の制御部２２は、図５のブロック図に示すように、ソレノイド５に供給される電力を昇圧する回路で構成され、例えば昇圧器２４に充電する充電回路２３と、電解コンデンサで構成される昇圧器２４と、トリガスイッチ１２から出力されるＯＮ信号で放電する放電回路２５と、その放電時間を設定する単安定マルチバイブレータ２６とを備えている。且つ、外部電源（例えば家庭用又は工業用のコンセント、バッテリー、発電機等）に接続される１本のプラグ付き電源コード２７を、グリップ２ａに内蔵された制御部２２に接続（例えばコンデンサを介して）し、その電源から供給される電流を通電及び遮断するための電源スイッチ２８を、装置本体２の後部（或いは側部、上部、下部、前部等）に設けている。また、電源スイッチ２８を、電源コード２７の途中に設けることもできる。
【００３９】
図示実施例は上記の如く構成するものにして、以下、固定針打込み装置１による畳Ｂの縁部Ｂａに被覆された縁布Ｂｂの固定方法を説明する。
【００４０】
先ず、固定針Ａを畳Ｂの縁部Ｂａ（縁隅を含む）に打込むとき、電源スイッチ２８をＯＮ操作した後、装置本体２のグリップ２ａを片手で保持して、図６、図７に示すように、打込み口７に突設した位置決め突起１９を、固定針Ａが打ち込まれる縁布Ｂｂが被覆された畳Ｂの縁部Ｂａに対して略直角に突き刺し、打込み口７を、固定針Ａが打ち込まれる畳Ｂの縁部Ｂａと対向する位置に規制して、打込み位置が変位するのを防止する。
【００４１】
また、位置決め突起１９を突き刺すまえに、縁締め張り及び滑り止めに用いられる打込み口７近傍の係止突起２０…を、畳Ｂの縁部Ｂａ及び縁部Ｂａに被覆された縁布Ｂｂに係止して、縁部Ｂａ及び縁布Ｂｂの一部又は全体を緊張したまま所定寸法（例えば略１寸程）だけ折り曲げて被覆してもよい。
【００４２】
次に、位置決め突起１９を、打込み口７が押し当てられた畳Ｂの縁部Ｂａに突き刺したまま、打込み口７及び安全弁１５を畳Ｂの縁部Ｂａに押し当てて、誤作動防止機構２９の安全弁１５をコイルバネ１７に抗して打込み口７に没入させ、可動板１６を押上げる。且つ、ロック部材１３の操作片１３ｂを可動板１６で突き上げ、ロック部材１３の規制片１３ａ及びスイッチ部１１の規制部１１ａの当接を解除し、スイッチレバー１０を操作可能に固定解除（ロック解除）する。
【００４３】
次に、打込み口７を畳Ｂの縁部Ｂａ及び隅部に押し当てたまま、グリップ２ａを保持する片手の指でスイッチレバー１０を操作し、トリガスイッチ１２をＯＮ操作すると、外部電源から供給される電力が装置本体２に内蔵した昇圧器２４で昇圧され、その昇圧器２４で昇圧された電力をソレノイド５に供給して瞬間的に励磁する。且つ、固定針Ａを打込むのに適した磁力をソレノイド５に発生させ、ハンマ４を、ソレノイド５の磁力により打ち出し方向に対して瞬間的に移動させ、マガジン部６に装填された固定針Ａ…を打込み口７から１本ずつ打ち出し、縁布Ｂｂが被覆された畳Ｂの縁部Ｂａに打ち込んで、縁布Ｂｂを、畳Ｂの縁部Ｂａに被覆された状態に固定する。
【００４４】
一方、１本の固定針Ａを打込む作業が完了した後、図２に示すように、装置本体２の打込み口７を固定針Ａが打込まれた畳Ｂの縁部Ｂａから離して、その部分から位置決め突起１９を抜き取ると、コイルバネ１７の復元力により安全弁１５の当接側下端部が打込み口７側に突出し、可動板１６が下方に押上げられる。
【００４５】
且つ、ロック部材１３の規制片１３ａ及びスイッチ部１１の規制部１１ａが当接し、スイッチレバー１０が操作不可に回動固定（ロック固定）されるので、トリガスイッチ１２がＯＦＦ状態にホールドされ、固定針Ａが誤って打出されるのを防止することができる。以下、上述と同様にして、打込み口７を、予め設定及び決定された畳Ｂの縁部Ｂａと対向する位置に移動させて、固定針Ａを打込む隅止め作業を継続して行う。
【００４６】
以上のように、固定針打込み装置１を構成する装置本体２の打込み口７に突設した位置決め突起１９を、打込み口７が押し当てられる畳Ｂの縁部Ｂａに突き刺して、打込み口７を、固定針Ａが打ち込まれる畳Ｂの縁部Ｂａと対向する位置に規制するので、固定針Ａの打込み位置が変位せず、例えば女性や老人等の腕力が弱い人でも、予め設定及び決定された畳Ｂの縁部Ｂａに対して正確且つ確実に打込むことができ、仕上り後の見栄えがよく、良好な状態に隅止め固定することができると共に、打込む作業が簡単且つ容易に行え、作業性の向上を図ることができる。
【００４７】
且つ、打込み口７を畳Ｂの縁部Ｂａに押し当てて、安全弁１５を打込み口７に没入させなければ、誤作動防止機構２９によるスイッチレバー１０の固定が解除されず、スイッチレバー１０が誤操作されるため、固定針Ａが誤って打出されるのを防止することができると共に、固定針Ａを所定量打込む作業が確実に行え、強固に固定することができる。
【００４８】
且つ、打込み口７近傍の係止突起２０…を、畳Ｂの縁部Ｂａ（縁隅を含む）及び縁部Ｂａに被覆される縁布Ｂｂに係止して、縁部Ｂａ及び縁布Ｂｂの一部又は全体を緊張した後、固定針Ａを打込んで、畳Ｂの縁部Ｂａ及び縁部Ｂａに被覆された縁布Ｂｂを緊張したまま固定するので、見栄えがよく、綺麗な状態に仕上げることができる。
【００４９】
且つ、制御部２２及び昇圧器２４を装置本体２に内蔵しているので、例えば昇圧ボックスや制御装置等を外部に設置するか、接続する必要がなく、所望する場所で充分に強力な打ち出し及び打込みが行えると共に、従来に比して機能が劣らず、家庭用又は工業用のコンセントから供給される電力で駆動するため、作業性が向上する。
【００５０】
この発明の構成と、上述の実施例との対応において、
この発明の針打込み部は、実施例の畳Ｂの縁部Ｂａ（隅部を含む）及び縁部Ｂａに被覆された縁布Ｂｂに対応し、
以下同様に、
打出し手段は、ソレノイド５に対応し、
スイッチ部は、スイッチレバー１０、トリガスイッチ１２に対応し、
誤作動防止手段は、誤作動防止機構２９及びロック部材１３、コイルバネ１４、安全弁１５、可動板１６、コイルバネ１７に対応するも、
この発明は、上述の実施例の構成のみに限定されるものではない。
【００５１】
上述の固定針打込み装置１は、例えば畳Ｂの縁部Ｂａを折り曲げた状態に固定する作業にも用いることができる。且つ、本発明の構成は、圧搾エアー式の固定針打込み装置１にも適用することができる。
【図面の簡単な説明】
【図１】固定針打込み装置を正面側斜め上方から見た外観を示す斜視図。
【図２】固定針打込み装置の内部構造を示す縦断側面図。
【図３】打込み口を斜め下方から見た外観を示す斜視図。
【図４】打込み口を正面側から見た外観を示す正面図。
【図５】固定針打込み装置のブロック図。
【図６】安全弁の没入状態及び誤作動防止機構の解除状態を示す縦断側面図。
【図７】畳の縁部及び縁布を固定針で固定する方法を示す説明図。
【符号の説明】
Ａ…固定針
Ｂ…畳
Ｂａ…縁部
Ｂｃ…縁布
１…固定針打込み装置
２…装置本体
３…ハウジング
４…ハンマ
５…ソレノイド
６…マガジン部
７…打込み口
１０…スイッチレバー
１１…スイッチ部
１１ａ…規制部
１２…トリガスイッチ
１３…ロック部材
１５…安全弁
１９…位置決め突起
２０…係止突起
２９…誤作動防止機構
【図１】
2004358563.tif 000003
【図２】
2004358563.tif 000004
【図３】
2004358563.tif 000005
【図４】
2004358563.tif 000006
【図５】
2004358563.tif 000007
【図６】
2004358563.tif 000008
【図７】
2004358563.tif 000009